(57)【要約】      （修正有）【課題】表面劣化の影響を受けることなく、周囲に石綿を飛散させることのない石綿スレート構造体および石綿スレートの被覆工法を提供すること。【解決手段】  石綿スレート材１１の上面および下面を当該石綿スレート材１１とほぼ同形状の鋼板１２で粘着剤１３を介して上下から狭持してなるので、表面劣化によって石綿が周囲に飛散する虞れがない。また、建物内部においても、飛散の懸念が極めて小さくなる。また、サンドイッチ構造により面剛性が増して、作業時の踏み抜き事故を未然に防止することができる。解体時においても、石綿スレート材を粉砕するのではなく、原形のまま取り外して、処分場へ搬出するので、飛散の懸念は極めて小さい。【選択図】図１
2007077741.tif 000002
【特許請求の範囲】
【請求項１】
石綿スレート材の両面から当該石綿スレート材とほぼ同形状の鋼板で粘着剤を介して狭持してなることを特徴とする石綿スレート構造体。
【請求項２】
石綿スレート材の一面に当該石綿スレート材とほぼ同形状の鋼板を粘着剤を介して貼着するとともに、当該石綿スレート材の他面に矩形波状断面の鋼板を粘着剤を介して貼着してなることを特徴とする石綿スレート構造体。
【請求項３】
石綿スレート材の一面に当該石綿スレート材とほぼ同形状の鋼板を粘着剤を介して貼着するとともに、当該石綿スレート材の他面に平板状の鋼板を粘着剤を介して貼着してなることを特徴とする石綿スレート構造体。
【請求項４】
石綿スレート材の両面に当該石綿スレート材とほぼ同形状の発泡体および鋼板を粘着剤を介して貼着してなることを特徴とする石綿スレート構造体。
【請求項５】
石綿スレート材の両面を粘着剤を介して鋼板で狭持し、
当該石綿スレート材の劣化に伴う石綿の飛散を防止することを特徴とする石綿スレートの被覆工法。
【発明の詳細な説明】
【技術分野】
【０００１】
本発明は、鉄道用駅、プラットホームの屋根、工場建屋の屋根、壁面材、一般家庭の屋根材等として広く使用されてきた石綿スレート材の改良および石綿スレートの被覆工法に関するものである。
【背景技術】
【０００２】
今日、石綿（アスベスト）の飛散による健康被害が問題になっておりますが、我が国において石綿スレート材は、便利な建材として洋風の瓦、屋根材、壁材として広く使用されて来ました。昭和５０年代から平成１６に至るまで、石綿の含有量は減少して来たものの、依然として使用され続けており、現存する建物の屋根材や壁面材、天井材にそのままの形で存在しており、その累積量は膨大なものとなっております。
石綿スレート材は、石綿とセメントを高圧でプレスした後，表面を防水加工して製造されていた。しかし、施工してから１０年〜１５年で表面が劣化し、石綿が表面に現れ、周囲に飛散すると云う現象が見られる。  
【発明の開示】
【発明が解決しようとする課題】
【０００３】
従来の石綿スレート材は、石綿とセメントを高圧でプレスした後，表面を防水加工して製造するのが一般的であった。
したがって、永年使用によって表面のセメント部分が劣化した場合、周囲に石綿スレート材に含まれる石綿が飛散してしまう虞れが存在した。
また、これらの石綿スレート材を剥がして、屋根を葺き替える場合にも、劣化して脆くなった石綿スレート材は割れ易く、解体作業においても石綿を含んだ砂塵が周囲に舞い上がるという危険が存在した。更に、今日、解体した石綿を処理する方法が未だ確立されておらず、解体処理することはできない。
【０００４】
この発明は上記に鑑み提案されたもので、表面のセメント部分の劣化により周囲に石綿が飛散したり、屋根を葺き替える場合にも石綿スレート材を解体することなく作業できる石綿スレート構造体および石綿スレートの被覆工法を提供することを目的とするものである。
【課題を解決するための手段】
【０００５】
前記目的を達成するために、本発明は、石綿スレート材の上面および下面を当該石綿スレート材とほぼ同形状の鋼板で粘着剤を介して上下から狭持してなることを特徴としている。
【０００６】
また、本発明において、石綿スレート材の上面および下面に前記石綿スレート材とほぼ同形状の発泡体および鋼板を粘着剤を介して貼着してなることを特徴としている。また、本発明において、石綿スレート材の上面に当該石綿スレート材とほぼ同形状の鋼板を粘着剤を介して貼着するとともに、石綿スレート材の下面に平板状の鋼板を粘着剤を介して貼着してなることを特徴とする。
【０００７】
また、本発明の石綿スレートの被覆工法は、石綿スレート材の上下面を粘着剤を介して鋼板で狭持し、石綿スレート材の劣化に伴う石綿の飛散を防止することを特徴とするものである。
【発明の効果】
【０００８】
この発明は前記した構成からなるので、以下に説明するような効果を奏することができる。
【０００９】
本発明では、石綿スレート材の上面および下面を当該石綿スレート材とほぼ同形状の鋼板で粘着剤を介して上下から狭持するので、石綿スレート材の劣化進行を阻止して、石綿が周囲に飛散するのを防止することができる。また、鋼板で上下からサンドイッチ構造とすることにより、面剛性を高めることができ、屋根材として使用した場合に作業者が踏み抜いたりする事故を未然に防止することができる。更に、石綿スレート材と鋼板が粘着剤で付着されているので、屋根等の解体時に鋼板のみを剥がして再利用することができる。
【００１０】
また、本発明では、前記粘着剤は、ブチルゴム系の粘着剤であるので、優れた防水性を発揮することができ、屋根用建材として最適である。また、本発明では、前記粘着剤は、アクリル系の粘着剤であるので優れた耐候性を発揮することができる。また、用途に応じて所望の粘度を付与することができる。
【００１１】
また、本発明では、石綿スレート材の上面に当該石綿スレート材とほぼ同形状の鋼板を粘着剤を介して貼着するとともに、石綿スレート材の下面に平板状の鋼板を粘着剤を介して貼着してなるので、石綿スレート材の劣化進行を阻止して、石綿が周囲に飛散するのを防止することができる。また、石綿スレート材と鋼板との間に空気層が形成されて、保温効果を高めることができる。
【００１２】
また、本発明の石綿スレートの被覆工法において、石綿スレート材の上下面を粘着剤を介して鋼板で狭持し、石綿スレート材の劣化に伴う石綿の飛散を防止するので、周囲の住民等への健康被害を未然に防止することができる。
また、既存の石綿スレート材を使用した屋根等を危険な解体工事をすることなく、石綿飛散のない安全な屋根に改修することができる。更に、解体工事に際しては、フックボルト外す事によって、粉塵を生じる事無く石綿スレート材を取り外すことができる。また、鋼板のみを剥がして再利用することができる。
【発明を実施するための最良の形態】
【００１３】
本発明は、石綿スレート材の上面および下面を当該石綿スレート材とほぼ同形状の鋼板で粘着剤を介して上下から狭持したので、表面劣化により石綿が飛散するのを防止するとともに、面剛性を高めて部材強度を増すことができる。
【実施例】
【００１４】
以下、一実施の形態を示す図面に基づいて本発明を詳細に説明する。図１は本発明に係る石綿スレート構造体の製造手順を示す説明図、図２は本発明の石綿スレート構造体の一例を示す縦断面図、図３は本発明の石綿スレート構造体の部分拡大断面である。ここで、石綿スレート構造体１０は、波型の石綿スレート材１１の上面および下面をこの石綿スレート材１１とほぼ同形状の波型に形成されるとともに粘着剤１３の付着された鋼板１２によって、上下から狭持してサンドイッチ状に構成されている。
【００１５】
例えば、波型の石綿スレート材１１の厚さを５ｍｍとした時、鋼板１２の厚さを０．３ｍｍ、粘着剤１３の厚さを１ｍｍとする。粘着剤１３としては、ブチルゴム系の粘着剤或いは、アクリル系の粘着剤を最適に使用することができる。また、使用する粘着剤の厚さは、石綿スレート材１１の表面劣化による凹凸量に応じて、０．５ｍｍ〜２ｍｍ程度が望ましい。
【００１６】
石綿スレート材１１の上下から鋼板１２を粘着剤１３を介して貼着したものは、図２、３に示すように完全に鋼板で覆われて石綿が飛散する虞れがない。また、鋼板１２に防錆処理を施せば更によい。
【００１７】
図４は、本発明の第２の実施例における石綿スレート構造体を示す断面図である。本実施例では、石綿スレート構造体１０−２は、波型の石綿スレート材１１の上面にこの石綿スレート材１１とほぼ同形状の波型に形成されるとともに粘着剤１３の付着された鋼板１２を貼着する。また、石綿スレート材１１の下面に平板状の鋼板１８を粘着剤１３を介して貼着する。
【００１８】
このように構成した場合、石綿スレート材が完全に鋼板で覆われて石綿が飛散する虞れがない。また、石綿スレート材の下面に空気層１７が形成されて、保温効果を高めることができる。
【００１９】
図５は、本発明の第３の実施例における石綿スレート構造体を示す断面図ある。本実施例では、石綿スレート構造体１０−３は、波型の石綿スレート材１１の上面にこの石綿スレート材１１とほぼ同形状の波型に形成されるとともに粘着剤１３の付着された鋼板１２を貼着する。また、石綿スレート材１１の下面に断面が矩形波状の鋼板１９を粘着剤１３を介して貼着する。
【００２０】
このように構成した場合、石綿スレート材が完全に鋼板で覆われて石綿が飛散する虞れがない。また、鋼板１９は、断面が矩形波状の形成されているので、剛性を増すことができる。なお、石綿スレート材に取り付ける矩形波状の方向は、何れの方向であってもよい。
【００２１】
図６は、本発明の第４の実施例における製造手順を示す説明図、図７は本発明の石綿スレート構造体の拡大縦断面図である。本実施例において、石綿スレート材１４は、平坦部分１４ａと台形部分１４ｂとから構成されている。また、鋼板１５もこれに合わせて、平坦部分１５ａと台形部分１５ｂから構成される。更に、鋼板１５の石綿スレート材１４に対向する面には、粘着剤１３が付着される。このようにして、石綿スレート材１４の上下から鋼板１５を粘着剤１３を介して、サンドイッチ構造とするので、石綿スレート材１４の劣化によって石綿が周囲に飛散する虞れがない。図８は、本発明の石綿スレート構造体を示す平面図である。屋根のフックボルト１６の部分を除いて鋼板１５を貼着したものである。このようにすることで、作業性を向上することができる。
【００２２】
図９は、本発明の石綿スレート構造体の第５の実施例を示す拡大縦断面図である。本実施例において、石綿スレート構造体２０は、石綿スレート材１４の上面にこの石綿スレート材とほぼ同形状の発泡体２２および鋼板２１を粘着剤１３を介して貼着する。また、石綿スレート材１４の下面にも、粘着剤１３を介して石綿スレート材とほぼ同形状の発泡体２２および鋼板２３を貼着する。発泡体２２の厚さは、例えば、２０ｍｍ程度とすることができる。ここで、発泡体としては、発泡ポリウレタン、発泡ポリスチレン、発泡ポリエチレン、発泡ポリプロピレンなどの発泡樹脂を用いる。
【００２３】
以上のように構成された石綿スレート構造体２０の場合、発泡体２２の存在により断熱効果を高めることができ、建物内の温度上昇を抑える。また、適度な有隙率を有する発泡体を選定する事によって透湿性を有し、建屋内の結露等を防止できる。
【００２４】
次に、本発明の石綿スレートの被覆工法について図１０、１１にしたがって説明図する。図１０は本発明の石綿スレートの被覆工法の手順を示す説明図、図１１は本発明の石綿スレートの被覆工法により被覆した屋根の側面図である。
先ず、建屋のチャンネル材３０にフックボルト３１によって固定された石綿スレート材３２の凹凸形状に合わせた所定の大きさの鋼板３３を用意し、粘着剤を介して貼着する。鋼板３３の大きさは、フックボルト３１とフックボルト３１の間に収まる長さとする。横幅は、作業性を考慮して任意の大きさとすることができる。鋼板３３は、石綿スレート材３２が波型であれば、それに合わせて波型とし、平型であれば平型とする。同様に石綿スレート材３２の下面からも鋼板３３を粘着剤を介して貼着する。尚、上述した建屋のチャンネル材３０は、Ｌ字のアングル材であってもよい。
【００２５】
このようにして、石綿スレート材３２の上下から粘着剤を介して鋼板３３を順次、貼着してゆけば石綿スレート材３２を鋼板で覆うことができる。本発明の石綿スレートの被覆工法によれば、既存の石綿スレート材を使用した屋根等を解体することなくそのままの状態で、鋼板で覆うことができるので石綿スレートの劣化に伴う石綿の飛散や解体工事に伴う石綿の飛散を防止することができる。
【００２６】
図１２は、本発明の石綿スレートの被覆工法の他の手順を示す説明図、図１３は、その石綿スレートの被覆工法により被覆した屋根の側面図である。本実施例において、建屋のチャンネル材３０にフックボルト３１によって固定された石綿スレート材３２の凹凸形状に合わせた所定の大きさの鋼板３３−１を用意し、粘着剤１３および発泡体３４を介して上から貼着する。鋼板３３の大きさは、発泡体３４にフックボルト３１の頭部が没入してしまうので、フックボルト３１の位置に影響を受けることがない。また、横幅は作業性を考慮して任意の大きさとすることができる。鋼板３３は、石綿スレート材３２が波型であれば、それに合わせて波型とし、平型であれば平型とする。更に、石綿スレート材３２の下面からは、鋼板３３を粘着剤１３を介して貼着する。また、鋼板３３のフックボルト３１と接する端部を一辺に発泡体３４を備えたアングル材３５で下から支えるとともに、建屋のチャンネル材３０にボルト．ナット３６で固定する。鋼板３３のチャンネル材３０と直接接触する端部は、アングル材３５で下から支えるとともに、建屋のチャンネル材３０にボルト．ナット３６で固定する。さらに、図１３に示すように石綿スレート材３２の上下に鋼板３３−１、３３を重ねたものにボルト３６を挿通させ、固定する。
【００２７】
以上のように施工した場合、石綿スレート材３２をチャンネル材３０に固定するフックボルト３１およびチャンネル材３０の部分をも完全に鋼板で覆うことができる。したがって、石綿スレート材３２を完全に密封することができる。また、発泡体３４を挟むことによりフックボルト３１の頭が邪魔になることがなく、断熱効果も向上する。
【００２８】
なお、以上の説明は、石綿スレート材を主に屋根材として使用した場合について説明したが、壁材等の他の用途に使用した場合も同様に施工することができる。また、鉄板等に石綿を吹き付け加工した建材についても、粘着剤を使用した鉄板等で覆うことにより、石綿を密封する施工が可能となる。
【図面の簡単な説明】
【００２９】
【図１】図１は、本発明に係る石綿スレート構造体の製造手順を示す説明図である。
【図２】図２は、同石綿スレート構造体の一例を示す縦断面図である。
【図３】図３は、同石綿スレート構造体の部分拡大断面である。
【図４】図４は、本発明の第２の実施例における石綿スレート構造体を示す断面図である。
【図５】図５は、本発明の第３の実施例における石綿スレート構造体を示す断面図ある。
【図６】図６は、本発明の第４の実施例における製造手順を示す説明図である。
【図７】図７は、同石綿スレート構造体の拡大縦断面図である。
【図８】図８は、同石綿スレート構造体を示す平面図である。
【図９】図９は、本発明の石綿スレート構造体の第５の実施例を示す拡大縦断面図である。
【図１０】図１０は、本発明の石綿スレートの被覆工法の手順を示す説明図である。
【図１１】図１１は、同石綿スレートの被覆工法により被覆した屋根の側面図である。
【図１２】図１２は、本発明の石綿スレートの被覆工法の他の手順を示す説明図である。
【図１３】図１３は、同石綿スレートの被覆工法により被覆した屋根の側面図である。
【符号の説明】
【００３０】
１０      石綿スレート構造体
１１      石綿スレート材
１２      鋼板
１３      粘着剤
１４      石綿スレート材
１４ａ    平坦部分
１４ｂ    台形部分
１５      鋼板
１５ａ    平坦部分
１５ｂ    台形部分
１６      フックボルト
１７      空気層
１８      鋼板
１９      鋼板
２０      石綿スレート構造体
２１      鋼板
２２      発泡体
２３      鋼板
３０      チャンネル材
３１      フックボルト
３２      石綿スレート材
３３      鋼板
３４      発泡体
３５      アングル材
３６      ボルト．ナット
【図１】
2007077741.tif 000003
【図２】
2007077741.tif 000004
【図３】
2007077741.tif 000005
【図４】
2007077741.tif 000006
【図５】
2007077741.tif 000007
【図６】
2007077741.tif 000008
【図７】
2007077741.tif 000009
【図８】
2007077741.tif 000010
【図９】
2007077741.tif 000011
【図１０】
2007077741.tif 000012
【図１１】
2007077741.tif 000013
【図１２】
2007077741.tif 000014
【図１３】
2007077741.tif 000015